【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
表面が第１の方向に駆動する潜像担持体と、振動する偏向ミラー面によって光源からの光を前記第１の方向とほぼ直交する第２の方向に走査可能に構成され、前記光を前記潜像担持体に照射して潜像を形成する潜像形成部と、前記潜像の現像を行う現像部とを備え、
前記偏向ミラー面によって前記光を前記第２の方向及び前記第２の方向とは異なる方向の複数の方向に走査して前記潜像を形成する手段と、
複数の画素でセルを構成し、前記セルに再現する階調値と前記複数の画素それぞれに対応する閾値を有するディザマトリックスとを比較して、前記セルを構成する複数画素のうちいずれの画素に対して潜像形成及び現像を行うかを決定する手段と、
前記決定手段による決定結果に基づいて、前記セルを構成する複数画素のうち階調値に応じた画素にのみ前記潜像形成部による潜像形成及び前記現像部による現像を行うことで階調再現を実行する手段とを備え、
前記セルは、前記第１の方向にｎ個の画素（ｎは４以上の偶数）を有し且つ前記第２の方向にｍ個の画素を有するｎ行ｍ列のｎ×ｍセルであり、
前記ディザマトリックスは、前記セルの各画素に対応してｎ×ｍ個の前記閾値を有するｎ行ｍ列のｎ×ｍマトリックスであるとともに、前記ｎ×ｍ個の閾値のうち小さい方から数えてｋ番目（ｍ≦ｋ≦ｎ×ｍ／２）の特定閾値以下の値を有するｋ個の閾値の全てが奇数行のみにある或いはｋ個の閾値全てが偶数行のみにある
ことを特徴とする画像形成装置。
【請求項２】
前記特定閾値以下の値を有するｋ個の閾値のうち小さい方から数えてｍ番目までのｍ個の閾値の全てが単一行にある請求項１に記載の画像形成装置。
【請求項３】
表面が第１の方向に駆動する潜像担持体と、振動する偏向ミラー面によって光源からの光を前記第１の方向とほぼ直交する第２の方向に走査可能に構成され、前記光を前記潜像担持体に照射して潜像を形成する潜像形成部と、前記潜像の現像を行う現像部とを備え、
前記偏向ミラー面によって前記光を前記第２の方向及び前記第２の方向とは異なる方向の複数の方向に走査して前記潜像を形成する手段と、
複数の画素でセルを構成し、前記セルに再現する階調値と前記複数の画素それぞれに対応する閾値を有するディザマトリックスとを比較して、前記セルを構成する複数画素のうちいずれの画素に対して潜像形成及び現像を行うかを決定する手段と、
前記決定手段による決定結果に基づいて、前記セルを構成する複数画素のうち階調値に応じた画素にのみ前記潜像形成部による潜像形成及び前記現像部による現像を行うことで階調再現を実行する手段とを備え、
前記セルは、前記第１の方向にｎ個の画素（ｎは４以上の偶数）を有し且つ前記第２の方向にｍ画素を有するｎ行ｍ列のｎ×ｍセルであり、
前記ディザマトリックスは、前記セルの各画素に対応してｎ×ｍ個の前記閾値を有するｎ行ｍ列のｎ×ｍマトリックスであるとともに、前記ｎ×ｍ個の閾値のうち小さい方から数えて（ｎ×ｍ／２）番目の特定閾値以下の値を有する（ｎ×ｍ／２）個の閾値の全てが奇数行のみにある或いは（ｎ×ｍ／２）個の閾値の全てが偶数行のみにある
ことを特徴とする画像形成装置。
【請求項４】
前記特定閾値以下の値を有する（ｎ×ｍ／２）個の閾値のうち小さい方から数えてｍ番目までのｍ個の閾値の全てが単一行にある請求項３に記載の画像形成装置。
【手続補正２】
【補正対象書類名】明細書
【補正対象項目名】０００９
【補正方法】変更
【補正の内容】
【０００９】
この発明に係る画像形成装置の第１の態様は、上記目的を達成するために、表面が第１の方向に駆動する潜像担持体と、振動する偏向ミラー面によって光源からの光を第１の方向とほぼ直交する第２の方向に走査可能に構成され、光を潜像担持体に照射して潜像を形成する潜像形成部と、潜像の現像を行う現像部とを備え、偏向ミラー面によって光を第２の方向及び第２の方向とは異なる方向の複数の方向に走査して潜像を形成する手段と、複数の画素でセルを構成し、セルに再現する階調値と複数の画素それぞれに対応する閾値を有するディザマトリックスとを比較して、セルを構成する複数画素のうちいずれの画素に対して潜像形成及び現像を行うかを決定する手段と、決定手段による決定結果に基づいて、セルを構成する複数画素のうち階調値に応じた画素にのみ潜像形成部による潜像形成及び現像部による現像を行うことで階調再現を実行する手段とを備え、セルは、第１の方向にｎ個の画素（ｎは４以上の偶数）を有し且つ第２の方向にｍ個の画素を有するｎ行ｍ列のｎ×ｍセルであり、ディザマトリックスは、セルの各画素に対応してｎ×ｍ個の閾値を有するｎ行ｍ列のｎ×ｍマトリックスであるとともに、ｎ×ｍ個の閾値のうち小さい方から数えてｋ番目（ｍ≦ｋ≦ｎ×ｍ／２）の特定閾値以下の値を有するｋ個の閾値の全てが奇数行のみにある或いはｋ個の閾値全てが偶数行のみにあることを特徴としている。
【手続補正３】
【補正対象書類名】明細書
【補正対象項目名】００１０
【補正方法】変更
【補正の内容】
【００１０】
このように構成された発明では、潜像担持体表面に振動する偏向ミラー面によって光ビームを、第２の方向（主走査方向）及び第２の方向とは異なる方向に往復走査させている。さらに、該潜像担持体表面は第１の方向（副走査方向）に駆動されている。従って、潜像担持体表面に対して走査線は図６に示す一点鎖線のようになる。ここで、図６は、走査線と潜像担持体表面との関係を示す模式図である。まず、走査ピッチの副走査方向おける変動に注目すると、図６の左端部及び右端部のいずれにおいても、狭い走査ピッチ（狭ピッチ）と広い走査ピッチ（広ピッチ）とが交互に現れる。次に、走査ピッチの主走査方向における変動に注目する。ここで、同図中の主走査方向に伸びる矢印Drに注目すると、同図の左端部では広ピッチである走査ピッチが矢印Dr方向に進むに連れて狭くなっていき、同図の右端部では狭ピッチとなる。したがって、例えば、副走査方向に４画素で主走査方向に４画素の４×４セルを用いて中間調のトナー像を形成する場合、次に示すような画像弊害が発生する場合がある。
【手続補正４】
【補正対象書類名】明細書
【補正対象項目名】００１２
【補正方法】変更
【補正の内容】
【００１２】
これに対して本発明では、ディザマトリックスの有するｎ×ｍ個の閾値のうち小さい方から数えてｋ番目（ｍ≦ｋ≦ｎ×ｍ／２）の特定閾値以下の値を有するｋ個の閾値の全てが奇数行のみにある或いはｋ個の閾値全てが偶数行のみにある。よって、特定閾値以下の階調値に対応するトナー像を形成するために潜像担持体表面に形成されるスポット潜像は、副走査方向に互いに隣接することが無い。よって、上述したような副走査方向に隣接するスポット潜像の重なりの程度が、潜像担持体表面における位置によって異なることに起因した画像弊害の発生を、少なくとも特定閾値以下の階調値に対応する低濃度領域については防止することが可能となる。
【手続補正５】
【補正対象書類名】明細書
【補正対象項目名】００１３
【補正方法】変更
【補正の内容】
【００１３】
また、この発明に係る画像形成装置の第２態様は、上記目的を達成するために、表面が第１の方向に駆動する潜像担持体と、振動する偏向ミラー面によって光源からの光を第１の方向とほぼ直交する第２の方向に走査可能に構成され、光を潜像担持体に照射して潜像を形成する潜像形成部と、潜像の現像を行う現像部とを備え、偏向ミラー面によって光を第２の方向及び第２の方向とは異なる方向の複数の方向に走査して潜像を形成する手段と、複数の画素でセルを構成し、セルに再現する階調値と複数の画素それぞれに対応する閾値を有するディザマトリックスとを比較して、セルを構成する複数画素のうちいずれの画素に対して潜像形成及び現像を行うかを決定する手段と、決定手段による決定結果に基づいて、セルを構成する複数画素のうち階調値に応じた画素にのみ潜像形成部による潜像形成及び現像部による現像を行うことで階調再現を実行する手段とを備え、セルは、第１の方向にｎ個の画素（ｎは４以上の偶数）を有し且つ第２の方向にｍ画素を有するｎ行ｍ列のｎ×ｍセルであり、ディザマトリックスは、セルの各画素に対応してｎ×ｍ個の閾値を有するｎ行ｍ列のｎ×ｍマトリックスであるとともに、ｎ×ｍ個の閾値のうち小さい方から数えて（ｎ×ｍ／２）番目の特定閾値以下の値を有する（ｎ×ｍ／２）個の閾値の全てが奇数行のみにある或いは（ｎ×ｍ／２）個の閾値の全てが偶数行のみにあることを特徴としている。
【手続補正６】
【補正対象書類名】明細書
【補正対象項目名】００１４
【補正方法】変更
【補正の内容】
【００１４】
つまり、この第２の態様においては、ｎ×ｍ個の閾値のうち小さい方から数えて（ｎ×ｍ／２）番目の特定閾値以下の値を有する（ｎ×ｍ／２）個の閾値の全てが奇数行のみにある或いは（ｎ×ｍ／２）個の閾値の全てが偶数行のみにあるよう構成されている。従って、ｎ×ｍ個の閾値のうち小さい方から数えて（ｎ×ｍ／２）番目の特定閾値以下の階調値に対応する濃度領域について、上述の画像弊害の発生を防止することが可能となる。よって、低濃度領域による上記画像弊害の発生をより確実に防止することが可能となり好適である。